(57)【要約】【課題】シングルエンド方式とＢＴＬ方式とに対処可能な音声出力回路を、比較的簡単な回路構成で実現する。【解決手段】シングルエンド方式の場合には第１及び第２のスピーカを駆動し、ＢＴＬ方式の場合には共通のスピーカを駆動する第１及び第２のパワーアンプと、前記第１のスピーカ又は前記共通のスピーカを接続するために使用される第１の接続端子と、前記第２のスピーカ又は前記共通のスピーカを接続するために使用される第２の接続端子と、前記第１の接続端子の電圧と第１の検出閾値電圧とが入力される第１の負荷インピーダンス検出回路と、前記第２の接続端子の電圧と所定の電圧とが入力される第２の負荷インピーダンス検出回路と、前記第２の負荷インピーダンス検出回路に、前記所定の電圧として、前記第２の検出閾値電圧を供給するか、前記第１の接続端子の電圧と前記第２の検出閾値電圧との和に相当する電圧を供給するかを切り替える基準切替回路とを備える音声出力回路。【選択図】図１
2010041196.tif 000002
【特許請求の範囲】
【請求項１】
シングルエンド方式の場合にはそれぞれ第１及び第２のスピーカを駆動し、ＢＴＬ方式の場合には共通のスピーカを駆動する第１及び第２のパワーアンプと、
前記第１のパワーアンプの出力端子に接続されており、前記第１のスピーカ又は前記共通のスピーカをそれぞれシングルエンド方式又はＢＴＬ方式で接続するために使用される第１の接続端子と、
前記第２のパワーアンプの出力端子に接続されており、前記第２のスピーカ又は前記共通のスピーカをそれぞれシングルエンド方式又はＢＴＬ方式で接続するために使用される第２の接続端子と、
前記第１のパワーアンプの出力端子と前記第１の接続端子との間に接続されている第１の測定電流供給回路と、
前記第２のパワーアンプの出力端子と前記第２の接続端子との間に接続されている第２の測定電流供給回路と、
前記第１の接続端子の電圧が入力される第１の入力端子と、第１の検出閾値電圧が入力される第２の入力端子とを有する第１の負荷インピーダンス検出回路と、
前記第２の接続端子の電圧が入力される第１の入力端子と、第２の検出閾値電圧、又は前記第１の接続端子の電圧と前記第２の検出閾値電圧との和に相当する電圧が入力される第２の入力端子とを有する第２の負荷インピーダンス検出回路と、
前記第２の負荷インピーダンス検出回路の前記第２の入力端子に、前記第２の検出閾値電圧を供給するか、前記第１の接続端子の電圧と前記第２の検出閾値電圧との和に相当する電圧を供給するかを切り替える基準切替回路と、
第１及び第２のクランプ電圧を生成し、シングルエンド方式の場合とＢＴＬ方式の場合で、前記第１のクランプ電圧と前記第２のクランプ電圧との電圧差を異なる値に設定するクランプ電圧生成回路と、
前記第１のクランプ電圧が供給される入力部と、前記第１のパワーアンプの出力端子に接続されている出力部とを有し、前記第１の接続端子の電圧をクランプする第１のクランプ回路と、
前記第２のクランプ電圧が供給される入力部と、前記第２のパワーアンプの出力端子に接続されている出力部とを有し、前記第２の接続端子の電圧をクランプする第２のクランプ回路とを備えることを特徴とする音声出力回路。
【請求項２】
前記クランプ電圧生成回路は、
電圧源と、
前記電圧源に接続された第１のスイッチと、
前記第１のスイッチを介して前記電圧源に接続された抵抗と、
前記第１のスイッチと前記抵抗とを介して前記電圧源に接続されたコレクタと、基準電位又はグラウンドに接続されたエミッタとを有する第１のトランジスタと、前記第１のトランジスタのベースに接続されたベースを有する第２のトランジスタとを有するカレントミラーと、
第２のスイッチと、
前記第２のスイッチを介して基準電位から前記第２のトランジスタのコレクタに電流を供給する電流源とを備え、
前記クランプ電圧生成回路は、
前記第１のクランプ回路に、前記第１のクランプ電圧として、前記第１のスイッチと前記抵抗との間のノードの電圧を供給し、
前記第２のクランプ回路に、前記第２のクランプ電圧として、前記抵抗と前記コレクタとの間のノードの電圧を供給することを特徴とする請求項１に記載の音声出力回路。
【請求項３】
前記第１の測定電流供給回路のＯＮ／ＯＦＦを制御するための第１の制御信号と、
前記第２の測定電流供給回路のＯＮ／ＯＦＦを制御するための第２の制御信号と、
前記第１の負荷インピーダンス検出回路のＯＮ／ＯＦＦを制御するための第３の制御信号と、
前記第２の負荷インピーダンス検出回路のＯＮ／ＯＦＦを制御するための第４の制御信号と、
シングルエンド方式を適用するかＢＴＬ方式を適用するかを切り替えるための第５の制御信号と、
を出力する制御回路を更に備え、
前記基準切替回路は、前記第２の負荷インピーダンス検出回路の前記第２の入力端子に供給する電圧を、前記第５の制御信号に応じて切り替え、
前記クランプ電圧生成回路は、前記第１のクランプ電圧と前記第２のクランプ電圧との電圧差を、前記第５の制御信号に応じて制御することを特徴とする請求項１又は２に記載の音声出力回路。
【請求項４】
シングルエンド方式の場合には、前記第１及び第２の負荷インピーダンス検出回路を利用して、前記第１及び第２のスピーカのインピーダンスを測定し、
ＢＴＬ方式の場合には、前記第２の負荷インピーダンス検出回路を利用して、前記共通のスピーカのインピーダンスを測定することを特徴とする請求項１から３のいずれか１項に記載の音声出力回路。
【請求項５】
シングルエンド方式の場合にはそれぞれ第１及び第２のスピーカを駆動し、ＢＴＬ方式の場合には共通のスピーカを駆動する第１及び第２のパワーアンプと、
前記第１のパワーアンプの出力端子に接続されており、前記第１のスピーカ又は前記共通のスピーカをそれぞれシングルエンド方式又はＢＴＬ方式で接続するために使用される第１の接続端子と、
前記第２のパワーアンプの出力端子に接続されており、前記第２のスピーカ又は前記共通のスピーカをそれぞれシングルエンド方式又はＢＴＬ方式で接続するために使用される第２の接続端子と、
前記第１のパワーアンプの出力端子と前記第１の接続端子との間に接続されている第１の測定電流供給回路と、
前記第２のパワーアンプの出力端子と前記第２の接続端子との間に接続されている第２の測定電流供給回路と、
前記第１の接続端子の電圧が入力される第１の入力端子と、第１の検出閾値電圧が入力される第２の入力端子とを有する第１の負荷インピーダンス検出回路と、
前記第２の接続端子の電圧が入力される第１の入力端子と、第２の検出閾値電圧が入力される第２の入力端子とを有する第２の負荷インピーダンス検出回路と、
前記第１の負荷インピーダンス検出回路の前記第２の入力端子に供給する電圧、又は前記第２の負荷インピーダンス検出回路の前記第２の入力端子に供給する電圧を切り替える基準切替回路とを備えることを特徴とする音声出力回路。
【発明の詳細な説明】
【技術分野】
【０００１】
本発明は、音声出力回路に関する。
【背景技術】
【０００２】
スピーカとパワーアンプとの接続方式として、ＢＴＬ（Bridge Tied Load）方式が広く用いられている。ＢＴＬ方式では、ステレオアンプの２つの出力を１つのスピーカに接続し、ステレオアンプをモノラルアンプとして使用する。スピーカとパワーアンプとの接続方式としては他に、シングルエンド方式が広く知られている。
【０００３】
パワーアンプには、Ａ級パワーアンプ、Ｂ級パワーアンプ、ＡＢ級パワーアンプ、Ｄ級パワーアンプ等の分類が存在する。近年、特にＤ級パワーアンプに関連し、外付部品又はハイパワーを選択する目的で、シングルエンド方式とＢＴＬ方式とを切り替えて使用する方式が注目されている。
【０００４】
ところで、スピーカとパワーアンプとを接続する際、パワーアンプの誤接続やスピーカの組立時不良が起こりうる。誤接続の例としては、誤ってパワーアンプの出力をバッテリ端子と接触させてしまう天絡や、誤ってパワーアンプの出力をグランド端子と接触させてしまう地絡等が挙げられる。組立時不良の例としては、スピーカのショートや、スピーカのオープン等が挙げられる。これらの誤接続や組立時不良を避ける目的で、パワーアンプは、自己の出力の状態を診断する自己診断機能を有するのが一般的である。以下、自己診断機能の内、ショート状態やオープン状態を検出する機能について言及する。
【０００５】
接続がショートしているか否かや、接続がオープンになっているか否かを診断するためには、スピーカのインピーダンスを測定する必要がある。しかし、パワーアンプの主流はＢＴＬ方式であり、パワーアンプに付加される負荷インピーダンス検出回路もまた、ＢＴＬ方式が主流である。そのため、シングルエンド方式とＢＴＬ方式とを切り替えて使用する場合には、多くの場合、シングルエンド方式の場合のインピーダンスを測定することができない。
【０００６】
シングルエンド方式とＢＴＬ方式の両方に対処するためには、パワーアンプ用のチップ上に、シングルエンド方式用の負荷インピーダンス検出回路と、ＢＴＬ方式用の負荷インピーダンス検出回路の両方を設ける必要がある。しかしながら、これはチップ面積の大幅な増加をもたらしてしまう。
【０００７】
なお、特許文献１には、第１及び第２の電力検出回路を有する第１の増幅回路と、第３及び第４の電力検出回路を有する第２の増幅回路とを有するＢＴＬ増幅回路と、第１及び第４の電力検出回路の出力値を比較する第１の比較器と、第２及び第３の電力検出回路の出力値を比較する第２の比較器とを備える電力増幅装置の例が記載されている。
【特許文献１】特開２００８−９２２９３号公報
【発明の開示】
【発明が解決しようとする課題】
【０００８】
本発明は、シングルエンド方式とＢＴＬ方式とに対処可能な音声出力回路を、比較的簡単な回路構成で実現することを課題とする。
【課題を解決するための手段】
【０００９】
本発明の一の態様は例えば、シングルエンド方式の場合にはそれぞれ第１及び第２のスピーカを駆動し、ＢＴＬ方式の場合には共通のスピーカを駆動する第１及び第２のパワーアンプと、前記第１のパワーアンプの出力端子に接続されており、前記第１のスピーカ又は前記共通のスピーカをそれぞれシングルエンド方式又はＢＴＬ方式で接続するために使用される第１の接続端子と、前記第２のパワーアンプの出力端子に接続されており、前記第２のスピーカ又は前記共通のスピーカをそれぞれシングルエンド方式又はＢＴＬ方式で接続するために使用される第２の接続端子と、前記第１のパワーアンプの出力端子と前記第１の接続端子との間に接続されている第１の測定電流供給回路と、前記第２のパワーアンプの出力端子と前記第２の接続端子との間に接続されている第２の測定電流供給回路と、前記第１の接続端子の電圧が入力される第１の入力端子と、第１の検出閾値電圧が入力される第２の入力端子とを有する第１の負荷インピーダンス検出回路と、前記第２の接続端子の電圧が入力される第１の入力端子と、第２の検出閾値電圧、又は前記第１の接続端子の電圧と前記第２の検出閾値電圧との和に相当する電圧が入力される第２の入力端子とを有する第２の負荷インピーダンス検出回路と、前記第２の負荷インピーダンス検出回路の前記第２の入力端子に、前記第２の検出閾値電圧を供給するか、前記第１の接続端子の電圧と前記第２の検出閾値電圧との和に相当する電圧を供給するかを切り替える基準切替回路と、第１及び第２のクランプ電圧を生成し、シングルエンド方式の場合とＢＴＬ方式の場合で、前記第１のクランプ電圧と前記第２のクランプ電圧との電圧差を異なる値に設定するクランプ電圧生成回路と、前記第１のクランプ電圧が供給される入力部と、前記第１のパワーアンプの出力端子に接続されている出力部とを有し、前記第１の接続端子の電圧をクランプする第１のクランプ回路と、前記第２のクランプ電圧が供給される入力部と、前記第２のパワーアンプの出力端子に接続されている出力部とを有し、前記第２の接続端子の電圧をクランプする第２のクランプ回路とを備えることを特徴とする音声出力回路である。
【００１０】
本発明の他の態様は例えば、シングルエンド方式の場合にはそれぞれ第１及び第２のスピーカを駆動し、ＢＴＬ方式の場合には共通のスピーカを駆動する第１及び第２のパワーアンプと、前記第１のパワーアンプの出力端子に接続されており、前記第１のスピーカ又は前記共通のスピーカをそれぞれシングルエンド方式又はＢＴＬ方式で接続するために使用される第１の接続端子と、前記第２のパワーアンプの出力端子に接続されており、前記第２のスピーカ又は前記共通のスピーカをそれぞれシングルエンド方式又はＢＴＬ方式で接続するために使用される第２の接続端子と、前記第１のパワーアンプの出力端子と前記第１の接続端子との間に接続されている第１の測定電流供給回路と、前記第２のパワーアンプの出力端子と前記第２の接続端子との間に接続されている第２の測定電流供給回路と、前記第１の接続端子の電圧が入力される第１の入力端子と、第１の検出閾値電圧が入力される第２の入力端子とを有する第１の負荷インピーダンス検出回路と、前記第２の接続端子の電圧が入力される第１の入力端子と、第２の検出閾値電圧が入力される第２の入力端子とを有する第２の負荷インピーダンス検出回路と、前記第１の負荷インピーダンス検出回路の前記第２の入力端子に供給する電圧、又は前記第２の負荷インピーダンス検出回路の前記第２の入力端子に供給する電圧を切り替える基準切替回路とを備えることを特徴とする音声出力回路である。
【発明の効果】
【００１１】
本発明によれば、シングルエンド方式とＢＴＬ方式とに対処可能な音声出力回路を、比較的簡単な回路構成で実現することが可能になる。
【発明を実施するための最良の形態】
【００１２】
本発明の実施例を、図面に基づいて説明する。
【００１３】
（第１実施例）
図１は、第１実施例の音声出力回路１０１の回路構成図である。図１には、スピーカのインピーダンスを測定して、スピーカの接続状態を診断するための種々の回路ブロックが示されている。図１の音声出力回路１０１は、シングルエンド方式とＢＴＬ方式とを切り替えて使用できるよう構成されている。図１の音声出力回路１０１はここでは、１チップで構成されているとする。
【００１４】
図１の音声出力回路１０１は、第１のパワーアンプ１１１Ａと、第２のパワーアンプ１１１Ｂと、第１の接続端子１１２Ａと、第２の接続端子１１２Ｂと、第１の測定電流供給回路１１３Ａと、第２の測定電流供給回路１１３Ｂと、第１の負荷インピーダンス検出回路１１４Ａと、第２の負荷インピーダンス検出回路１１４Ｂと、基準切替回路１１５とを備える。
【００１５】
第１及び第２のパワーアンプ１１１Ａ及びＢはそれぞれ、スピーカを駆動するためのアンプである。第１及び第２のパワーアンプ１１１Ａ及びＢは、シングルエンド方式の場合にはそれぞれ第１及び第２のスピーカ２０１Ａ及びＢを駆動し（図３及び図６）、ＢＴＬ方式の場合には共通のスピーカ２０２を駆動する（図４及び図７）。
【００１６】
ＢＴＬ方式の場合、第１及び第２のパワーアンプ１１１Ａ及びＢの一方は、入力信号に対して同相出力を行い、他方は、入力信号に対して逆相出力を行う。本実施例では、第１のパワーアンプ１１１Ａが同相出力で第２のパワーアンプ１１１Ｂが逆相出力でも、あるいは、第１のパワーアンプ１１１Ａが逆相出力で第２のパワーアンプ１１１Ｂが同相出力でも構わない。
【００１７】
第１及び第２の接続端子１１２Ａ及びＢはそれぞれ、スピーカを接続するための端子である。第１の接続端子１１２Ａは、第１のパワーアンプ１１１Ａの出力端子（Ａ）に接続されており、第１のスピーカ２０１Ａ又は共通のスピーカ２０２をそれぞれシングルエンド方式又はＢＴＬ方式で接続するために使用される（図３、図４、図６、及び図７）。一方、第２の接続端子１１２Ｂは、第２のパワーアンプ１１１Ｂの出力端子（Ｂ）に接続されており、第２のスピーカ２０１Ｂ又は共通のスピーカ２０２をそれぞれシングルエンド方式又はＢＴＬ方式で接続するために使用される（図３、図４、図６、及び図７）。
【００１８】
第１及び第２の測定電流供給回路１１３Ａ及びＢはそれぞれ、インピーダンス測定用の直流電流を供給するための回路である。第１の測定電流供給回路１１３Ａは、第１のパワーアンプ１１１Ａの出力端子と第１の接続端子１１２Ａとの間に接続されている。一方、第２の測定電流供給回路１１３Ｂは、第２のパワーアンプ１１１Ｂの出力端子と第２の接続端子１１２Ｂとの間に接続されている。インピーダンス測定用の直流電流は、第１及び第２のパワーアンプ１１１Ａ及びＢの停止時に供給される。また、該直流電流の供給時の立上りスロープと、該直流電流の非供給時の立下りスロープは、ポップ音を低減する目的でゆるやかとなるよう制御される。
【００１９】
第１及び第２の負荷インピーダンス検出回路１１４Ａ及びＢはそれぞれ、負荷インピーダンスを検出するための回路である。第１の負荷インピーダンス検出回路１１４Ａは、第１の接続端子１１２Ａの電圧ＶAが入力される第１の入力端子（Ａ1）と、第１の検出閾値電圧−Ｖref-Aが入力される第２の入力端子（Ａ2）と、負荷インピーダンスの検出結果を出力する出力端子（Ａ3）とを有する。一方、第２の負荷インピーダンス検出回路１１４Ｂは、第２の接続端子１１２Ｂの電圧ＶBが入力される第１の入力端子（Ｂ1）と、第２の検出閾値電圧−Ｖref-Bが入力される第２の入力端子（Ｂ2）と、負荷インピーダンスの検出結果を出力する出力端子（Ｂ3）とを有する。第１及び第２の負荷インピーダンス検出回路１１４Ａ及びＢは、第１及び第２のパワーアンプ１１１Ａ及びＢの停止時に動作する。
【００２０】
第１の負荷インピーダンス検出回路１１４Ａはここでは、比較器である。よって、第１の負荷インピーダンス検出回路１１４Ａは、第１の入力端子Ａ1に入力された電圧と第２の入力端子Ａ2に入力された電圧とを比較し、これらの電圧の比較結果を出力端子Ａ3から出力する。
【００２１】
同様に、第２の負荷インピーダンス検出回路１１４Ｂもここでは、比較器である。第２の負荷インピーダンス検出回路１１４Ｂは、第１の入力端子Ｂ1に入力された電圧と第２の入力端子Ｂ2に入力された電圧とを比較し、これらの電圧の比較結果を出力端子Ｂ3から出力する。
【００２２】
基準切替回路１１５は、第１の負荷インピーダンス検出回路１１４Ａの第２の入力端子に供給する電圧、又は第２の負荷インピーダンス検出回路１１４Ｂの第２の入力端子に供給する電圧を切り替える回路である。即ち、基準切替回路１１５は、第１又は第２の負荷インピーダンス検出回路１１４Ａ又はＢに供給する基準電圧の切り替えを行う。
【００２３】
なお、第１の検出閾値電圧−Ｖref-Aの値と第２の検出閾値電圧−Ｖref-Bの値は、同じ値でも異なる値でもよい。また、第１の検出閾値電圧−Ｖref-Aの値は、ここでは負の値とするが、正の値としてもよい。また、第２の検出閾値電圧−Ｖref-Bの値も、ここでは負の値とするが、正の値としてもよい。
【００２４】
図１の音声出力回路１０１はさらに、クランプ電圧生成回路１２１と、第１のクランプ回路１２２Ａと、第２のクランプ回路１２２Ｂとを備える。
【００２５】
クランプ電圧生成回路１２１は、第１及び第２のクランプ電圧ＶA0及びＶB0を生成する回路である。第１のクランプ電圧ＶA0は第１のクランプ回路１２２Ａに供給され、第２のクランプ電圧ＶB0は第２のクランプ回路１２２Ｂに供給される。第１のクランプ電圧ＶA0は、第１のクランプ回路１２２Ａにそのまま供給されてもよいし、電圧源を介して第１のクランプ回路１２２Ａに供給されてもよい。第２のクランプ電圧ＶB0も同様に、第２のクランプ回路１２２Ｂにそのまま供給されてもよいし、電圧源を介して第２のクランプ回路１２２Ｂに供給されてもよい。
【００２６】
第１のクランプ回路１２２Ａは、ＢＴＬ診断時に第１の接続端子１１２Ａの電圧ＶAにインピーダンス測定用の基準電圧を与える、又はシングルエンド診断時に第１の接続端子１１２Ａの電圧ＶAがある電圧以上又はある電圧以下にならないようクランプする回路である。第１のクランプ回路１２２Ａは、第１のクランプ電圧ＶA0が供給される入力部Ａinと、第１のパワーアンプ１１１Ａの出力端子に接続されている出力部Ａoutを有している。
【００２７】
第２のクランプ回路１２２Ｂは、第２の接続端子１１２Ｂの電圧ＶBがある電圧以上又はある電圧以下にならないようクランプする回路である。第２のクランプ回路１２２Ｂは、第２のクランプ電圧ＶB0が供給される入力部Ｂinと、第２のパワーアンプ１１１Ｂの出力端子に接続されている出力部Ｂoutを有している。
【００２８】
図１の音声出力回路１０１はさらに、制御回路１３１を備える。
【００２９】
制御回路１３１は、種々の制御信号を出力する回路である。図１には、このような制御信号の例として、第１から第５の制御信号が示されている。
【００３０】
第１の制御信号は、第１の測定電流供給回路１１３ＡのＯＮ／ＯＦＦを制御するための信号である。第２の制御信号は、第２の測定電流供給回路１１３ＢのＯＮ／ＯＦＦを制御するための信号である。第３の制御信号は、第１の負荷インピーダンス検出回路１１４ＡのＯＮ／ＯＦＦを制御するための信号である。第４の制御信号は、第２の負荷インピーダンス検出回路１１４ＢのＯＮ／ＯＦＦを制御するための信号である。第５の制御信号は、ＳＥ（シングルエンド）方式を適用するかＢＴＬ方式を適用するかを切り替えるための信号である。第５の制御信号は、図１のように、基準切替回路１１５及びクランプ電圧生成回路１２１に供給される。第５の制御信号は、切替制御信号の例である。
【００３１】
また、制御回路１３１は、時定数回路に接続された時定数制御端子Ｔ1と、ＳＥモードかＢＴＬモードかを示す信号が入力されるＳＥ／ＢＴＬ端子Ｔ2とを有している。
【００３２】
時定数制御端子Ｔ1は、ポップ音を低減するために利用される。具体的には、インピーダンス測定に入ると、制御回路１３１は、時定数制御端子Ｔ1の充電を開始し、時定数回路に基づいたゆるやかな傾きを持つ充電波形を発生させる。これにより、時定数制御端子Ｔ1の電位は、第１の電位Ｖ1から第２の電位Ｖ2へと変化する。時定数制御端子Ｔ1の電位がＶ2に達すると、制御回路１３１は、インピーダンス測定を行うタイミングを決定する第３及び第４の制御信号にHighレベルの信号を出力する。そして、インピーダンス測定を終えるタイミングに入ると、制御回路１３１は、インピーダンス測定完了のタイミングを決定する第３及び第４の制御信号にLowレベルの信号を出力する。更に、制御回路１３１は、時定数制御端子Ｔ1の放電を開始し、時定数回路に基づいた傾きを持つゆるやかな放電波形を発生させる。これにより、時定数制御端子Ｔ1の電位は、第２の電位Ｖ2から第１の電位Ｖ1へと変化する。そして、制御回路１３１は、これらの充放電波形を反映した第１及び第２の制御信号を生成し、これらの制御信号を第１及び第２の測定電流供給回路１１３Ａ及びＢに供給することで、時定数制御端子Ｔ1の充放電に依存したゆるやかなスロープを持つバイアス電流を生成させる。これにより、スピーカ接続時のポップ音が低減される。
【００３３】
このように、時定数制御端子Ｔ1からの入力は、第１から第４の制御信号の制御に利用される。また、ＳＥ／ＢＴＬ端子Ｔ2からの入力については、第１から第５の制御信号の制御に利用される。
【００３４】
以上のように、本実施例では、診断用の回路構成に関し、シングルエンド方式用の回路構成とＢＴＬ方式用の回路構成とが共用化されている。これにより、シングルエンド方式とＢＴＬ方式とに対処可能な音声出力回路１０１が、比較的簡単な回路構成で実現されている。本実施例によれば、シングルエンド方式とＢＴＬ方式とに対処可能な音声出力回路１０１を、チップ面積の増加を抑制しつつ実現することができる。
【００３５】
なお、音声出力回路１０１のより詳細な構成例及び動作例については、後述の実施例で説明する。
【００３６】
以下、第２実施例の音声出力回路１０１について説明する。第２実施例は第１実施例の変形例であり、第２実施例については、第１実施例との相違点を中心に説明する。更に、シングルエンド方式の場合の当該音声出力回路１０１の動作を第３実施例で、ＢＴＬ方式の場合の当該音声出力回路１０１の動作を第４実施例で説明する。
【００３７】
（第２実施例）
図２は、第２実施例の音声出力回路１０１の回路構成図である。
【００３８】
図２の音声出力回路１０１は、第１のパワーアンプ１１１Ａと、第２のパワーアンプ１１１Ｂと、第１の接続端子１１２Ａと、第２の接続端子１１２Ｂと、第１の測定電流供給回路１１３Ａと、第２の測定電流供給回路１１３Ｂと、第１の負荷インピーダンス検出回路１１４Ａと、第２の負荷インピーダンス検出回路１１４Ｂと、基準切替回路１１５とを備える。
【００３９】
図２の基準切替回路１１５は、スイッチＳＷSE及びＳＷBTLを備える。スイッチＳＷSEは、第２の検出閾値電圧−Ｖref-Bの＋端子とグラウンドとの間に接続されている。スイッチＳＷBTLは、第２の検出閾値電圧−Ｖref-Bの＋端子と第１の接続端子１１２Ａとの間に接続されている。図２の基準切替回路１１５は、これらのスイッチの一方をＯＮにし、他方をＯＦＦにすることができる。
【００４０】
スイッチＳＷSEがＯＮの場合には、第２の負荷インピーダンス検出回路１１４Ｂの第２の入力端子Ｂ2に、第２の検出閾値電圧−Ｖref-Bが供給される。これにより、シングルエンド方式の場合のインピーダンス測定が可能になる（図３）。
【００４１】
一方、スイッチＳＷBTLがＯＮの場合には、第２の負荷インピーダンス検出回路１１４Ｂの第２の入力端子Ｂ2に、第１の接続端子１１２Ａの電圧ＶAと第２の検出閾値電圧−Ｖref-Bとの和に相当する電圧が供給される。即ち、電圧ＶA−Ｖref-Bが供給される。これにより、ＢＴＬ方式の場合のインピーダンス測定が可能になる（図４）。
【００４２】
以上のように、図２の基準切替回路１１５は、第２の負荷インピーダンス検出回路１１４Ｂの第２の入力端子Ｂ2に、第２の検出閾値電圧−Ｖref-Bを供給するか、第１の接続端子１１２Ａの電圧ＶAと第２の検出閾値電圧−Ｖref-Bとの和に相当する電圧を供給するかを切り替えることができる。これにより、シングルエンド方式の場合のインピーダンス測定と、ＢＴＬ方式の場合のインピーダンス測定との切り替えが可能になる。
【００４３】
なお、以上のような基準切替回路１１５の機能は、図２の回路構成とは別の回路構成で実現しても構わない。
【００４４】
図２の音声出力回路１０１はさらに、クランプ電圧生成回路１２１と、第１のクランプ回路１２２Ａと、第２のクランプ回路１２２Ｂとを備える。
【００４５】
図２のクランプ電圧生成回路１２１は、基準電圧Ｖrefを供給する電圧源Ｖと、第１のスイッチＳＷ1と、第１の抵抗Ｒ1と、カレントミラー回路Ｃと、抵抗等の電流源Ｓと、第２のスイッチＳＷ2と、第２の抵抗Ｒ2とを備える。カレントミラー回路Ｃは、第１のトランジスタＴ1と、第２のトランジスタＴ2とを備える。第１及び第２のトランジスタＴ1及びＴ2はそれぞれ、バイポーラトランジスタである。
【００４６】
これらの回路素子は、次のように接続されている。電圧源Ｖの−端子は、グラウンドに接続されている。電圧源Ｖの＋端子は、第１のスイッチＳＷ1に接続されている。第１の抵抗Ｒ1は、第１のスイッチＳＷ1を介して電圧源Ｖに接続されている。
【００４７】
また、第１のトランジスタＴ1のコレクタは、第１のスイッチＳＷ1と第１の抵抗Ｒ1とを介して電圧源Ｖに接続されている。第１のトランジスタＴ1のエミッタは、グラウンドに接続されている。第１のトランジスタＴ1のベースは、第２のトランジスタＴ2のベース及びコレクタに接続されている。第２のトランジスタＴ2のエミッタは、グラウンドに接続されている。
【００４８】
また、電流源Ｓは、第２のトランジスタＴ2のベース及びコレクタに接続されている。第２のスイッチＳＷ2は、電流源Ｓと電源との間に接続されている。電流源Ｓは、第２のスイッチＳＷ2を介して基準電位から第２のトランジスタＴ2のコレクタに電流を供給する。第２の抵抗Ｒ2は、第１のスイッチＳＷ1と第１の抵抗Ｒ1との間のノードＮとグラウンドとの間に接続されている。なお、本実施例の第１の抵抗Ｒ1と第２の抵抗Ｒ2との間には、Ｒ1＜＜Ｒ2の関係が成り立つ。
【００４９】
図２には、クランプ電圧生成回路１２１内の第１のノードＮAと第２のノードＮBが示されている。第１のノードＮAは、第１のスイッチＳＷ1と第１の抵抗Ｒ1との間に位置している。第２のノードＮBは、第１の抵抗Ｒ1と第１のトランジスタＴ1のコレクタとの間に位置している。クランプ電圧生成回路１２１は、第１のクランプ回路１２２Ａに、第１のクランプ電圧ＶA0として、第１のノードＮAの電圧を供給すると共に、第２のクランプ回路１２２Ｂに、第２のクランプ電圧ＶB0として、第２のノードＮBの電圧を供給する。
【００５０】
シングルエンド方式の場合、クランプ電圧生成回路１２１は、第１及び第２のスイッチＳＷ1及びＳＷ2を共にＯＦＦにする（図３）。これにより、第１のノードＮAの電圧と第２のノードＮBの電圧は、共に０になる。その結果、シングルエンド方式の場合には、第１のクランプ電圧ＶA0と第２のクランプ電圧ＶB0が、共に０になる。
【００５１】
一方、ＢＴＬ方式の場合、クランプ電圧生成回路１２１は、第１及び第２のスイッチＳＷ1及びＳＷ2を共にＯＮにする（図４）。これにより、第１のノードＮAの電圧はＶrefになり、第２のノードＮBの電圧はＶref−ＶBTLになる。ただし、ＶBTLは第１の抵抗Ｒ1の両端間の電圧であり、Ｖref＞ＶBTL＞０が成り立つ。その結果、ＢＴＬ方式の場合には、第１のクランプ電圧ＶA0がＶrefになり、第２のクランプ電圧ＶB0がＶref−ＶBTLになる。
【００５２】
以上のように、図２のクランプ電圧生成回路１２１は、第１のクランプ電圧ＶA0と第２のクランプ電圧ＶB0とを、シングルエンド方式の場合には同じ値に設定し、ＢＴＬ方式の場合には異なる値に設定する。これにより、本実施例では、シングルエンド方式の場合とＢＴＬ方式の場合で、第１のクランプ電圧ＶA0と第２のクランプ電圧ＶB0との電圧差を、異なる値に設定することができる。シングルエンド方式の場合には電圧差は０になり、ＢＴＬ方式の場合には電圧差はＶBTL（＞０）になる。その結果、本実施例では、ＢＴＬ方式の場合において、第１のクランプ電圧ＶA0と第２のクランプ電圧ＶB0との電圧差を、所望の値に設定することが可能になる。
【００５３】
なお、以上のようなクランプ電圧生成回路１２１の機能は、図２の回路構成とは別の回路構成で実現しても構わない。
【００５４】
なお、本実施例では、第１のクランプ回路１２２ＡはトランジスタＴAを備え、第２のクランプ回路１２２ＢはトランジスタＴBを備える。トランジスタＴA及びＴBは、バイポーラトランジスタである。トランジスタＴA及びＴBのベースはそれぞれ、入力部Ａin及びＢinに相当する。また、トランジスタＴA及びＴBのエミッタはそれぞれ、出力部Ａout及びＢoutに相当する。また、トランジスタＴA及びＴBのコレクタは、電源に接続されている。
【００５５】
また、本実施例では、第１のクランプ電圧ＶA0は、ｎA個（ｎAは１以上の整数）のダイオードＤAを介して、第１のクランプ回路１２２Ａに供給される。そのため、第１のクランプ電圧ＶA0からｎA個のダイオードＤAの電圧降下ｎA×Ｖfを引いた電圧が、入力部Ａinに供給される。これにより、出力部Ａoutに供給される電圧については、第１のクランプ電圧ＶA0から、ダイオードＤAの電圧降下ｎA×Ｖfと、トランジスタＴAのベース・エミッタ間電圧ＶBEとを引いた電圧以下の電圧になることが防止される。
【００５６】
同様に、第２のクランプ電圧ＶB0は、ｎB個（ｎBは１以上の整数）のダイオードＤBを介して、第２のクランプ回路１２２Ｂに供給される。そのため、第２のクランプ電圧ＶB0からトランジスタＴBのｎB個のダイオードＤBの電圧降下ｎB×Ｖfを引いた電圧が、入力部Ｂinに供給される。これにより、出力部Ｂoutに供給される電圧については、第２のクランプ電圧ＶB0から、ダイオードＤBの電圧降下ｎB×Ｖfと、トランジスタＴBのベース・エミッタ間電圧ＶBEとを引いた電圧以下の電圧になることが防止される。
【００５７】
ｎA個のダイオードＤAは、互いに直列接続され、第１のノードＮAと入力部Ａinとの間に設けられている。また、ｎB個のダイオードＤBは、互いに直列接続され、第２のノードＮBと入力部Ｂinとの間に設けられている。ｎAとｎBはここでは、同数とする。なお、本実施例では、ダイオードＤAやダイオードＤBは、設けられていなくても構わない。
【００５８】
クランプ電圧ＶA0，ＶB0と、接続端子１１２Ａ，Ｂの電圧ＶA，ＶBとの関係を、図８に示す。図８Ａには、ＳＥモードにおけるこれら電圧が示されている。図８Ｂには、ＢＴＬモードにおけるこれら電圧が示されている。図８Ａの縦軸は電圧ＶA，ＶBを表し、図８Ｂの縦軸は電圧ＶBを表す。本実施例の自己診断では、インピーダンス測定による組立時不良の診断の他、天絡や地絡等の誤接続の診断が可能である。誤検出を避けるために、インピーダンス測定用の各検出閾値電圧は、図８のように、誤接続診断用の検出閾値範囲内に入らないように設定する必要がある。
【００５９】
図２の音声出力回路１０１はさらに、制御回路１３１を備える。
【００６０】
図２の制御回路１３１は、Bias1信号と、Bias2信号と、Diag_run1信号と、Diag_run2信号と、BTL_en信号を出力する。Bias1信号は、第１の制御信号に相当する信号であり、第１の測定電流供給回路１１３ＡのＯＮ／ＯＦＦを制御する。Bias2信号は、第２の制御信号に相当する信号であり、第２の測定電流供給回路１１３ＢのＯＮ／ＯＦＦを制御する。Diag_run1信号は、第３の制御信号に相当する信号であり、第１の負荷インピーダンス検出回路１１４ＡのＯＮ／ＯＦＦを制御する。Diag_run2信号は、第４の制御信号に相当する信号であり、第２の負荷インピーダンス検出回路１１４ＢのＯＮ／ＯＦＦを制御する。なお、Diag_run2信号は、クランプ回路１２２Ａ，Ｂの出力部Ａout，Ｂoutに設けられたスイッチにも供給される。
【００６１】
BTL_en信号は、第５の制御信号に相当する信号であり、SE/BTL端子Ｔ2のHigh/Lowレベルに基づいている。BTL_en信号は、図２のように、基準切替回路１１５のスイッチＳＷSE及びＳＷBTLと、クランプ電圧生成回路１２１の第１及び第２のスイッチＳＷ1及びＳＷ2とに供給される。
【００６２】
シングルエンド方式を適用する場合、制御回路１３１は、LowレベルのBTL_en信号を出力する。これにより、基準切替回路１１５ではスイッチＳＷSEがＯＮになり、第２の入力端子Ｂ2に電圧−Ｖref-Bが供給される。また、クランプ電圧生成回路１２１では第１及び第２のスイッチＳＷ1及びＳＷ2がＯＦＦになり、第１及び第２のクランプ電圧ＶA0及びＶB0が共に０になる。
【００６３】
一方、ＢＴＬ方式を適用する場合、制御回路１３１は、HighレベルのBTL_en信号を出力する。これにより、基準切替回路１１５ではスイッチＳＷBTLがＯＮになり、第２の入力端子Ｂ2に電圧ＶA−Ｖref-Bが供給される。また、クランプ電圧生成回路１２１では第１及び第２のスイッチＳＷ1及びＳＷ2が共にＯＮになり、第１及び第２のクランプ電圧ＶA0及びＶB0がそれぞれＶref及びＶref−ＶBTLになる。
【００６４】
以上のように、図２の基準切替回路１１５は、第２の負荷インピーダンス検出回路１１４Ｂの第２の入力端子Ｂ2に供給する電圧を、BTL_en信号に応じて切り替える。また、図２のクランプ電圧生成回路１２１は、第１のクランプ電圧ＶA0と第２のクランプ電圧ＶB0との電圧差を、BTL_en信号に応じて制御する。
【００６５】
このように、本実施例では、基準切替回路１１５及びクランプ電圧生成回路１２１を、共通の制御信号（BTL_en信号）で制御することができる。
【００６６】
（第３実施例）
図３は、音声出力回路１０１の回路構成図である。第３実施例では、シングルエンド方式の場合の当該音声出力回路１０１の動作について説明する。図３の音声出力回路１０１の回路構成は、図２の音声出力回路１０１の回路構成と同様である。
【００６７】
パワーアンプ１１１Ａ，Ｂは、予め停止状態となっている。
【００６８】
シングルエンド方式の診断を行う場合、制御回路１３１は、LowレベルのBTL_en信号を出力する。これにより、基準切替回路１１５ではスイッチＳＷSEがＯＮになり、第２の入力端子Ｂ2に電圧−Ｖref-Bが供給される。また、クランプ電圧生成回路１２１では第１及び第２のスイッチＳＷ1及びＳＷ2がＯＦＦになり、第１及び第２のクランプ電圧ＶA0及びＶB0が共に０（ＧＮＤレベル）になる。
【００６９】
インピーダンス測定が開始されると、制御回路１３１は、時定数制御端子Ｔ1の充電を開始する。時定数制御端子Ｔ1は時定数回路に接続されているため、時定数制御端子Ｔ1の充電は、第１の電位Ｖ１から第２の電位Ｖ２へとゆるやかに行われる。更に、時定数制御端子Ｔ1の電位に対応した電位をＶ−Ｉ変換して得られるBias1信号及びBias2信号が、測定電流供給回路１１３Ａ及びＢに出力される。そして、測定電流供給回路１１３Ａ，Ｂは、接続端子１１２Ａ，Ｂを介してスピーカ２０１Ａ，Ｂに、第１，第２の直流電流ＩA，ＩBを供給する。時定数制御端子Ｔ1の電位が第２の電位Ｖ２へ到達すると、制御回路１３１は、HighレベルのDiag_run1信号及びDiag_run2信号（これらはインピーダンス測定の開始信号である）を、負荷インピーダンス検出回路１１４Ａ及びＢに出力する。
【００７０】
この際、第１の負荷インピーダンス検出回路１１４Ａは、第１の接続端子１１２Ａの電圧ＶAと第１の検出閾値電圧−Ｖref-Aとを比較し、これらの電圧の比較結果を出力する。当該比較結果が、第１のスピーカ２０１Ａのインピーダンスの測定結果に相当する。第１のスピーカ２０１Ａのインピーダンスの測定開始と測定終了は、Diag_run1信号の立上りと立下りにより制御される。
【００７１】
同様に、第２の負荷インピーダンス検出回路１１４Ｂは、第２の接続端子１１２Ｂの電圧ＶBと第２の検出閾値電圧−Ｖref-Bとを比較し、これらの電圧の比較結果を出力する。当該比較結果が、第２のスピーカ２０１Ｂのインピーダンスの測定結果に相当する。第２のスピーカ２０１Ｂのインピーダンスの測定開始と測定終了は、Diag_run2信号の立上りと立下りにより制御される。
【００７２】
測定期間が経過すると、制御回路１３１は、時定数制御端子Ｔ1の放電を開始し、LowレベルのDiag_run1信号及びDiag_run2信号を、負荷インピーダンス検出回路１１４Ａ及びＢに出力する。時定数制御端子Ｔ1は時定数回路に接続されているため、時定数制御端子Ｔ1の放電は、第２の電位Ｖ２から第１の電位Ｖ１へとゆるやかに行われる。また、時定数制御端子Ｔ1の電位に対応した電位をＶ−Ｉ変換して得られるBias1信号及びBias2信号の減少もゆるやかに進行する。時定数制御端子Ｔ1が第１の電位Ｖ１に到達すると、測定が完了となる。
【００７３】
このように、音声出力回路１０１は、シングルエンド方式の場合には、第１及び第２の負荷インピーダンス検出回路１１４Ａ及びＢを利用して、第１及び第２のスピーカ２０１Ａ及びＢのインピーダンスを測定する。音声出力回路１０１には、２つの負荷インピーダンス検出回路１１４Ａ及びＢに加えて、２つの測定電流供給回路１１２Ａ及びＢが設けられているため、２つのスピーカ２０１Ａ及びＢのインピーダンスを同時に測定することができる。
【００７４】
なお、診断時において、第１のスピーカ２０１Ａが第１の接続端子１１２Ａに繋がれていない場合には、第１の接続端子１１２Ａの電圧ＶAを必要以上に引き下げると、第１の測定電流供給回路１１２Ａの動作範囲を超える高電圧、あるいは第１の負荷インピーダンス検出回路１１４Ａの入力範囲を超える高電圧が生じる可能性がある。しかしながら、本実施例では、第１のクランプ回路１２２Ａにより、このような事態が防止される。これは、第２のスピーカ２０１Ｂと第２のクランプ回路１２２Ｂとについても同様である。本実施例では、ＶA，ＶBがそれぞれ、−（ｎA×Ｖf＋ＶBE），−（ｎB×Ｖf＋ＶBE）以下になることが防止される。
【００７５】
（第４実施例）
図４は、音声出力回路１０１の回路構成図である。第４実施例では、ＢＴＬ方式の場合の当該音声出力回路１０１の動作について説明する。図４の音声出力回路１０１の回路構成は、図２の音声出力回路１０１の回路構成と同様である。
【００７６】
パワーアンプ１１１Ａ，Ｂは、予め停止状態となっている。
【００７７】
ＢＴＬ方式の診断を行う場合、制御回路１３１は、HighレベルのBTL_en信号を出力する。これにより、基準切替回路１１５ではスイッチＳＷBTLがＯＮになり、第２の負荷インピーダンス検出回路１１４Ｂの第２の入力端子Ｂ2に電圧ＶA−Ｖref-Bが供給される。また、クランプ電圧生成回路１２１では第１及び第２のスイッチＳＷ1及びＳＷ2が共にＯＮになり、第１及び第２のクランプ電圧ＶA0及びＶB0がそれぞれＶref及びＶref−ＶBTLになる。
【００７８】
インピーダンス測定が開始されると、制御回路１３１は、時定数制御端子Ｔ1の充電を開始する。時定数制御端子Ｔ1は時定数回路に接続されているため、時定数制御端子Ｔ1の充電は、第１の電位Ｖ１から第２の電位Ｖ２へとゆるやかに行われる。更に、時定数制御端子Ｔ1の電位に対応した電位をＶ−Ｉ変換して得られるBias2信号が、測定電流供給回路１１３Ｂに出力される。そして、測定電流供給回路１１３Ｂは、接続端子１１２Ａ，Ｂを介してスピーカ２０２に直流電流Ｉを供給する。時定数制御端子Ｔ1の電位が第２の電位Ｖ２へ到達すると、制御回路１３１は、HighレベルのDiag_run2信号（これはインピーダンス測定の開始信号である）を、負荷インピーダンス検出回路１１４Ｂに出力する。また、ＢＴＬ診断時、Bias1信号及びDiag_run1信号は常にLowレベルであり、第１のバイアス電流供給回路１１３Ａ及び第１の負荷インピーダンス検出回路１１４Ａは共に非動作状態である。
【００７９】
この際、第２の負荷インピーダンス検出回路１１４Ｂは、第２の接続端子１１２Ｂの電圧ＶBと電圧ＶA−Ｖref-Bとを比較し、これらの電圧の比較結果を出力する。即ち、電圧ＶA−ＶBと電圧Ｖref-Bとの比較結果が出力される。当該比較結果が、スピーカ２０２のインピーダンスの測定結果に相当する。スピーカ２０２のインピーダンスの測定開始と測定終了は、Diag_run2信号の立上りと立下りにより制御される。
【００８０】
測定期間が経過すると、制御回路１３１は、時定数制御端子Ｔ1の放電を開始し、LowレベルのDiag_run2信号を、負荷インピーダンス検出回路１１４Ｂに出力する。時定数制御端子Ｔ1は時定数回路に接続されているため、時定数制御端子Ｔ1の放電は、第２の電位Ｖ２から第１の電位Ｖ１へとゆるやかに行われる。また、時定数制御端子Ｔ1の電位に対応した電位をＶ−Ｉ変換して得られるBias2信号の減少もゆるやかに進行する。時定数制御端子Ｔ1が第１の電位Ｖ１に到達すると、測定が完了となる。
【００８１】
このように、音声出力回路１０１は、ＢＴＬ方式の場合には、第２の負荷インピーダンス検出回路１１４Ｂを利用して、スピーカ２０２のインピーダンスを測定する。このように、音声出力回路１０１は、２つの接続端子１１２Ａ及びＢと、２つの測定電流供給回路１１２Ａ及びＢのいずれか一方と、２つの負荷インピーダンス検出回路１１４Ａ及びＢのいずれか一方とを利用して、ＢＴＬ方式の診断を行うことができる。例えば、図１の音声出力回路１０１では、第１及び第２の接続端子１１２Ａ及びＢと、第１の測定電流供給回路１１２Ａと、第１の負荷インピーダンス検出回路１１４Ａとを利用して、ＢＴＬ方式の診断を行うような回路構成を実現することも可能である。
【００８２】
なお、診断時において、第１のクランプ回路１２２Ａは、測定基準となる電圧ＶAを与える。また、診断時において、スピーカ２０２が第１及び第２の接続端子１１２Ａ及びＢに繋がれていない場合には、第２の接続端子１１２Ｂの電圧ＶBを必要以上に引き下げると、第２の測定電流供給回路１１２Ｂの動作範囲を超える高電圧、あるいは第２の負荷インピーダンス検出回路１１４Ｂの入力範囲を超える高電圧が生じる可能性がある。しかしながら、本実施例では、第２のクランプ回路１２２Ｂにより、このような事態が防止される。本実施例では、ＶBが、Ｖref−（ＶBTL＋ｎB×Ｖf＋ＶBE）以下になることが防止される。
【００８３】
本実施例では更に、誤診断を避ける目的で、第１及び第２のクランプ電圧ＶA0及びＶB0が、基準電圧Ｖref、ＢＴＬ用の電圧ＶBTL、第１及び第２のクランプ回路１２２Ａ及びＢ等により適正に設定される。
【００８４】
（第５実施例）
図５は、第５実施例の音声出力回路１０１の回路構成図であり、図２の変形例である。
【００８５】
図５の音声出力回路１０１は、第１のパワーアンプ１１１Ａと、第２のパワーアンプ１１１Ｂと、第１の接続端子１１２Ａと、第２の接続端子１１２Ｂと、第１の測定電流供給回路１１３Ａと、第２の測定電流供給回路１１３Ｂと、第１の負荷インピーダンス検出回路１１４Ａと、第２の負荷インピーダンス検出回路１１４Ｂと、基準切替回路１１５とを備える。
【００８６】
図５の基準切替回路１１５は、スイッチＳＷSE及びＳＷBTLを備える。スイッチＳＷSEは、第２の検出閾値電圧Ｖref-Bの−端子とグラウンドとの間に接続されている。スイッチＳＷBTLは、第２の検出閾値電圧Ｖref-Bの−端子と第１の接続端子１１２Ａとの間に接続されている。図５の基準切替回路１１５は、これらのスイッチの一方をＯＮにし、他方をＯＦＦにすることができる。
【００８７】
スイッチＳＷSEがＯＮの場合には、第２の負荷インピーダンス検出回路１１４Ｂの第２の入力端子Ｂ2に、第２の検出閾値電圧Ｖref-Bが供給される。これにより、シングルエンド方式の場合のインピーダンス測定が可能になる（図６）。
【００８８】
一方、スイッチＳＷBTLがＯＮの場合には、第２の負荷インピーダンス検出回路１１４Ｂの第２の入力端子Ｂ2に、第１の接続端子１１２Ａの電圧ＶＡと第２の検出閾値電圧Ｖref-Bとの和に相当する電圧が供給される。即ち、電圧ＶＡ＋Ｖref-Bが供給される。これにより、ＢＴＬ方式の場合のインピーダンス測定が可能になる（図７）。
【００８９】
以上のように、図５の基準切替回路１１５は、第２の負荷インピーダンス検出回路１１４Ｂの第２の入力端子Ｂ2に、第２の検出閾値電圧Ｖref-Bを供給するか、第２の接続端子１１２Ａの電圧ＶＡと第２の検出閾値電圧Ｖref-Bとの和に相当する電圧を供給するかを切り替えることができる。これにより、シングルエンド方式の場合のインピーダンス測定と、ＢＴＬ方式の場合のインピーダンス測定との切り替えが可能になる。
【００９０】
なお、以上のような基準切替回路１１５の機能は、図５の回路構成とは別の回路構成で実現しても構わない。
【００９１】
図５の音声出力回路１０１はさらに、クランプ電圧生成回路１２１と、第１のクランプ回路１２２Ａと、第２のクランプ回路１２２Ｂとを備える。
【００９２】
図５のクランプ電圧生成回路１２１は、基準電圧Ｖrefを供給する電圧源Ｖと、第１のスイッチＳＷ1と、第１の抵抗Ｒ1と、カレントミラー回路Ｃと、抵抗等の電流源Ｓと、第２のスイッチＳＷ2と、第２の抵抗Ｒ2とを備える。カレントミラー回路Ｃは、第１のトランジスタＴ1と、第２のトランジスタＴ2とを備える。第１及び第２のトランジスタＴ1及びＴ2はそれぞれ、バイポーラトランジスタである。
【００９３】
これらの回路素子は、次のように接続されている。電圧源Ｖの−端子は、グラウンドに接続されている。電圧源Ｖの＋端子は、第１のスイッチＳＷ1に接続されている。第１の抵抗Ｒ1は、第１のスイッチＳＷ1を介して電圧源Ｖに接続されている。
【００９４】
また、第１のトランジスタＴ1のコレクタは、第１のスイッチＳＷ1と第１の抵抗Ｒ1とを介して電圧源Ｖに接続されている。第１のトランジスタＴ1のエミッタは、基準電位に接続されている。第１のトランジスタＴ1のベースは、第２のトランジスタＴ2のベース及びコレクタに接続されている。第２のトランジスタＴ2のエミッタは、基準電位に接続されている。
【００９５】
また、電流源Ｓは、第２のトランジスタＴ2のベース及びコレクタに接続されている。第２のスイッチＳＷ2は、電流源Ｓとグラウンドとの間に接続されている。第２の抵抗Ｒ2は、第１のトランジスタＴ1のコレクタと第１の抵抗Ｒ1との間のノードＮとグラウンドとの間に接続されている。なお、本実施例の第１の抵抗Ｒ1と第２の抵抗Ｒ2との間には、Ｒ1＜＜Ｒ2の関係が成り立つ。
【００９６】
図５には、クランプ電圧生成回路１２１内の第１のノードＮAと第２のノードＮBが示されている。第１のノードＮAは、第１のスイッチＳＷ1と第１の抵抗Ｒ1との間に位置している。第２のノードＮBは、第１の抵抗Ｒ1と第１のトランジスタＴ1のコレクタとの間に位置している。クランプ電圧生成回路１２１は、第１のクランプ回路１２２Ａに、第１のクランプ電圧ＶA0として、第１のノードＮAの電圧を供給すると共に、第２のクランプ回路１２２Ｂに、第２のクランプ電圧ＶB0として、第２のノードＮBの電圧を供給する。
【００９７】
シングルエンド方式の場合、クランプ電圧生成回路１２１は、第１及び第２のスイッチＳＷ1及びＳＷ2を共にＯＦＦにする（図６）。これにより、第１のノードＮAの電圧と第２のノードＮBの電圧は、共に０になる。その結果、シングルエンド方式の場合には、第１のクランプ電圧ＶA0と第２のクランプ電圧ＶB0が、共に０になる。
【００９８】
一方、ＢＴＬ方式の場合、クランプ電圧生成回路１２１は、第１及び第２のスイッチＳＷ1及びＳＷ2を共にＯＮにする（図７）。これにより、第１のノードＮAの電圧はＶrefになり、第２のノードＮBの電圧はＶref＋ＶBTLになる。ただし、ＶBTLは第１の抵抗Ｒ1の両端間の電圧である。その結果、ＢＴＬ方式の場合には、第１のクランプ電圧ＶA0がＶrefになり、第２のクランプ電圧ＶB0がＶref＋ＶBTLになる。
【００９９】
以上のように、図５のクランプ電圧生成回路１２１は、第１のクランプ電圧ＶA0と第２のクランプ電圧ＶB0とを、シングルエンド方式の場合には同じ値に設定し、ＢＴＬ方式の場合には異なる値に設定する。これにより、本実施例では、シングルエンド方式の場合とＢＴＬ方式の場合で、第１のクランプ電圧ＶA0と第２のクランプ電圧ＶB0との電圧差を、異なる値に設定することができる。シングルエンド方式の場合には電圧差は０になり、ＢＴＬ方式の場合には電圧差はＶBTL（＞０）になる。その結果、本実施例では、ＢＴＬ方式の場合において、第１のクランプ電圧ＶA0と第２のクランプ電圧ＶB0との電圧差を、所望の値に設定することが可能になる。
【０１００】
なお、以上のようなクランプ電圧生成回路１２１の機能は、図５の回路構成とは別の回路構成で実現しても構わない。
【０１０１】
なお、本実施例では、第１のクランプ回路１２２ＡはトランジスタＴAを備え、第２のクランプ回路１２２ＢはトランジスタＴBを備える。トランジスタＴA及びＴBは、バイポーラトランジスタである。トランジスタＴA及びＴBのベースはそれぞれ、入力部Ａin及びＢinに相当する。また、トランジスタＴA及びＴBのエミッタはそれぞれ、出力部Ａout及びＢoutに相当する。また、トランジスタＴA及びＴBのコレクタは、基準電位（≦０）に接続されている。
【０１０２】
また、本実施例では、第１のクランプ電圧ＶA0は、ｎA個（ｎAは１以上の整数）のダイオードＤAを介して、第１のクランプ回路１２２Ａに供給される。そのため、第１のクランプ電圧ＶA0にｎA個のダイオードＤAの電圧降下ｎA×Ｖfを加えた電圧が、入力部Ａinに供給される。これにより、出力部Ａoutに供給される電圧については、第１のクランプ電圧ＶA0に、ダイオードＤAの電圧降下ｎA×Ｖfと、トランジスタＴAのベース・エミッタ間電圧ＶBEとを加えた電圧以上の電圧になることが防止される。
【０１０３】
同様に、第２のクランプ電圧ＶB0は、ｎB個（ｎBは１以上の整数）のダイオードＤBを介して、第２のクランプ回路１２２Ｂに供給される。そのため、第２のクランプ電圧ＶB0にトランジスタＴBのｎB個のダイオードＤBの電圧降下ｎB×Ｖfを加えた電圧が、入力部Ｂinに供給される。これにより、出力部Ｂoutに供給される電圧については、第２のクランプ電圧ＶB0に、ダイオードＤBの電圧降下ｎB×Ｖfと、トランジスタＴBのベース・エミッタ間電圧ＶBEとを加えた電圧以上の電圧になることが防止される。
【０１０４】
ｎA個のダイオードＤAは、互いに直列接続され、第１のノードＮAと入力部Ａinとの間に設けられている。また、ｎB個のダイオードＤBは、互いに直列接続され、第２のノードＮBと入力部Ｂinとの間に設けられている。ｎAとｎBはここでは、同数とする。なお、本実施例では、ダイオードＤAやダイオードＤBは、設けられていなくても構わない。
【０１０５】
クランプ電圧ＶA0，ＶB0と、接続端子１１２Ａ，Ｂの電圧ＶA，ＶBとの関係を、図９に示す。図９Ａには、ＳＥモードにおけるこれら電圧が示されている。図９には、ＢＴＬモードにおけるこれら電圧が示されている。図９Ａの縦軸は電圧ＶA，ＶBを表し、図９Ｂの縦軸は電圧ＶBを表す。本実施例の自己診断では、インピーダンス測定による組立時不良の診断の他、天絡や地絡等の誤接続の診断が可能である。誤検出を避けるために、インピーダンス測定用の各検出閾値電圧は、図９のように、誤接続診断用の検出閾値範囲内に入らないように設定する必要がある。
【０１０６】
図５の音声出力回路１０１はさらに、制御回路１３１を備える。
【０１０７】
図５の制御回路１３１は、Bias1信号と、Bias2信号と、Diag_run1信号と、Diag_run2信号と、BTL_en信号を出力する。Bias1信号は、第１の制御信号に相当する信号であり、第１の測定電流供給回路１１３ＡのＯＮ／ＯＦＦを制御する。Bias2信号は、第２の制御信号に相当する信号であり、第２の測定電流供給回路１１３ＢのＯＮ／ＯＦＦを制御する。Diag_run1信号は、第３の制御信号に相当する信号であり、第１の負荷インピーダンス検出回路１１４ＡのＯＮ／ＯＦＦを制御する。Diag_run2信号は、第４の制御信号に相当する信号であり、第２の負荷インピーダンス検出回路１１４ＢのＯＮ／ＯＦＦを制御する。なお、Diag_run2信号は、クランプ回路１２２Ａ，Ｂの出力部Ａout，Ｂoutに設けられたスイッチにも供給される。
【０１０８】
BTL_en信号は、第５の制御信号に相当する信号であり、SE/BTL端子Ｔ2のHigh/Lowレベルに基づいている。BTL_en信号は、図５のように、基準切替回路１１５のスイッチＳＷSE及びＳＷBTLと、クランプ電圧生成回路１２１の第１及び第２のスイッチＳＷ1及びＳＷ2とに供給される。
【０１０９】
シングルエンド方式を適用する場合、制御回路１３１は、LowレベルのBTL_en信号を出力する。これにより、基準切替回路１１５ではスイッチＳＷSEがＯＮになり、第２の入力端子Ｂ2に電圧Ｖref-Bが供給される。また、クランプ電圧生成回路１２１では第１及び第２のスイッチＳＷ1及びＳＷ2がＯＦＦになり、第１及び第２のクランプ電圧ＶA0及びＶB0が共に０になる。
【０１１０】
一方、ＢＴＬ方式を適用する場合、制御回路１３１は、HighレベルのBTL_en信号を出力する。これにより、基準切替回路１１５ではスイッチＳＷBTLがＯＮになり、第２の入力端子Ｂ2に電圧ＶＡ＋Ｖref-Ｂが供給される。また、クランプ電圧生成回路１２１では第１及び第２のスイッチＳＷ1及びＳＷ2が共にＯＮになり、第１及び第２のクランプ電圧ＶA0及びＶB0がそれぞれＶref及びＶref＋ＶBTLになる。
【０１１１】
以上のように、図５の基準切替回路１１５は、第１の負荷インピーダンス検出回路１１４Ａの第２の入力端子Ａ2に供給する電圧を、BTL_en信号に応じて切り替える。また、図５のクランプ電圧生成回路１２１は、第１のクランプ電圧ＶA0と第２のクランプ電圧ＶB0との電圧差を、BTL_en信号に応じて制御する。
【０１１２】
このように、本実施例では、基準切替回路１１５及びクランプ電圧生成回路１２１を、共通の制御信号（BTL_en信号）で制御することができる。
【０１１３】
（第６実施例）
図６は、音声出力回路１０１の回路構成図であり、図３の変形例である。第６実施例では、シングルエンド方式の場合の当該音声出力回路１０１の動作について説明する。図６の音声出力回路１０１の回路構成は、図５の音声出力回路１０１の回路構成と同様である。
【０１１４】
パワーアンプ１１１Ａ，Ｂは、予め停止状態となっている。
【０１１５】
シングルエンド方式の診断を行う場合、制御回路１３１は、LowレベルのBTL_en信号を出力する。これにより、基準切替回路１１５ではスイッチＳＷSEがＯＮになり、第２の入力端子Ｂ2に電圧Ｖref-Ｂが供給される。また、クランプ電圧生成回路１２１では第１及び第２のスイッチＳＷ1及びＳＷ2がＯＦＦになり、第１及び第２のクランプ電圧ＶA0及びＶB0が共に０（ＧＮＤレベル）になる。
【０１１６】
インピーダンス測定が開始されると、制御回路１３１は、時定数制御端子Ｔ1の充電を開始する。時定数制御端子Ｔ1は時定数回路に接続されているため、時定数制御端子Ｔ1の充電は、第１の電位Ｖ１から第２の電位Ｖ２へとゆるやかに行われる。更に、時定数制御端子Ｔ1の電位に対応した電位をＶ−Ｉ変換して得られるBias1信号及びBias2信号が、測定電流供給回路１１３Ａ及びＢに出力される。そして、測定電流供給回路１１３Ａ，Ｂは、接続端子１１２Ａ，Ｂを介してスピーカ２０１Ａ，Ｂに、第１，第２の直流電流ＩA，ＩBを供給する。時定数制御端子Ｔ1の電位が第２の電位Ｖ２へ到達すると、制御回路１３１は、HighレベルのDiag_run1信号及びDiag_run2信号（これらはインピーダンス測定の開始信号である）を、負荷インピーダンス検出回路１１４Ａ及びＢに出力する。
【０１１７】
この際、第１の負荷インピーダンス検出回路１１４Ａは、第１の接続端子１１２Ａの電圧ＶAと第１の検出閾値電圧Ｖref-Aとを比較し、これらの電圧の比較結果を出力する。当該比較結果が、第１のスピーカ２０１Ａのインピーダンスの測定結果に相当する。第１のスピーカ２０１Ａのインピーダンスの測定開始と測定終了は、Diag_run2信号の立上りと立下りにより制御される。
【０１１８】
同様に、第２の負荷インピーダンス検出回路１１４Ｂは、第２の接続端子１１２Ｂの電圧ＶBと第２の検出閾値電圧Ｖref-Bとを比較し、これらの電圧の比較結果を出力する。当該比較結果が、第２のスピーカ２０１Ｂのインピーダンスの測定結果に相当する。第２のスピーカ２０１Ｂのインピーダンスの測定開始と測定終了は、Diag_run1信号の立上りと立下りにより制御される。
【０１１９】
測定期間が経過すると、制御回路１３１は、時定数制御端子Ｔ1の放電を開始し、LowレベルのDiag_run1信号及びDiag_run2信号を、負荷インピーダンス検出回路１１４Ａ及びＢに出力する。時定数制御端子Ｔ1は時定数回路に接続されているため、時定数制御端子Ｔ1の放電は、第２の電位Ｖ２から第１の電位Ｖ１へとゆるやかに行われる。また、時定数制御端子Ｔ1の電位に対応した電位をＶ−Ｉ変換して得られるBias1信号及びBias2信号の減少もゆるやかに進行する。時定数制御端子Ｔ1が第１の電位Ｖ１に到達すると、測定が完了となる。
【０１２０】
このように、音声出力回路１０１は、シングルエンド方式の場合には、第１及び第２の負荷インピーダンス検出回路１１４Ａ及びＢを利用して、第１及び第２のスピーカ２０１Ａ及びＢのインピーダンスを測定する。音声出力回路１０１には、２つの負荷インピーダンス検出回路１１４Ａ及びＢに加えて、２つの測定電流供給回路１１２Ａ及びＢが設けられているため、２つのスピーカ２０１Ａ及びＢのインピーダンスを同時に測定することができる。
【０１２１】
なお、診断時において、第１のスピーカ２０１Ａが第１の接続端子１１２Ａに繋がれていない場合には、第１の接続端子１１２Ａの電圧ＶAを必要以上に引き上げると、第１の測定電流供給回路１１２Ａの動作範囲を超える高電圧、あるいは第１の負荷インピーダンス検出回路１１４Ａの入力範囲を超える高電圧が生じる可能性がある。しかしながら、本実施例では、第１のクランプ回路１２２Ａにより、このような事態が防止される。これは、第２のスピーカ２０１Ｂと第２のクランプ回路１２２Ｂとについても同様である。本実施例では、ＶA，ＶBがそれぞれ、（ｎA×Ｖf＋ＶBE），（ｎB×Ｖf＋ＶBE）以上になることが防止される。
【０１２２】
（第７実施例）
図７は、音声出力回路１０１の回路構成図であり、図４の変形例である。第７実施例では、ＢＴＬ方式の場合の当該音声出力回路１０１の動作について説明する。図７の音声出力回路１０１の回路構成は、図５の音声出力回路１０１の回路構成と同様である。
【０１２３】
パワーアンプ１１１Ａ，Ｂは、予め停止状態となっている。
【０１２４】
ＢＴＬ方式の診断を行う場合、制御回路１３１は、HighレベルのBTL_en信号を出力する。これにより、基準切替回路１１５ではスイッチＳＷBTLがＯＮになり、第２の負荷インピーダンス検出回路１１４Ｂの第２の入力端子Ｂ2に電圧ＶＡ＋Ｖref-Ｂが供給される。
【０１２５】
また、クランプ電圧生成回路１２１では第１及び第２のスイッチＳＷ1及びＳＷ2が共にＯＮになり、第１及び第２のクランプ電圧ＶA0及びＶB0がそれぞれＶref及びＶref＋ＶBTLになる。
【０１２６】
インピーダンス測定が開始されると、制御回路１３１は、時定数制御端子Ｔ1の充電を開始する。時定数制御端子Ｔ1は時定数回路に接続されているため、時定数制御端子Ｔ1の充電は、第１の電位Ｖ１から第２の電位Ｖ２へとゆるやかに行われる。更に、時定数制御端子Ｔ1の電位に対応した電位をＶ−Ｉ変換して得られるBias2信号が、測定電流供給回路１１３Ｂに出力される。そして、測定電流供給回路１１３Ｂは、接続端子１１２Ａ，Ｂを介してスピーカ２０２に直流電流Ｉを供給する。時定数制御端子Ｔ1の電位が第２の電位Ｖ２へ到達すると、制御回路１３１は、HighレベルのDiag_run2信号（これはインピーダンス測定の開始信号である）を、負荷インピーダンス検出回路１１４Ｂに出力する。また、ＢＴＬ診断時、Bias1信号及びDiag_run1信号は常にLowレベルであり、第１のバイアス電流供給回路１１３Ａ及び第１の負荷インピーダンス検出回路１１４Ａは共に非動作状態である。
【０１２７】
この際、第２の負荷インピーダンス検出回路１１４Ｂは、第１の接続端子１１２Ｂの電圧ＶＢと電圧ＶＡ＋Ｖref-Ｂとを比較し、これらの電圧の比較結果を出力する。即ち、電圧ＶＢ−ＶＡと電圧Ｖref-Ｂとの比較結果が出力される。当該比較結果が、スピーカ２０２のインピーダンスの測定結果に相当する。スピーカ２０２のインピーダンスの測定開始と測定終了は、Diag_run2信号の立上りと立下りにより制御される。
【０１２８】
測定期間が経過すると、制御回路１３１は、時定数制御端子Ｔ1の放電を開始し、LowレベルのDiag_run2信号を、負荷インピーダンス検出回路１１４Ｂに出力する。時定数制御端子Ｔ1は時定数回路に接続されているため、時定数制御端子Ｔ1の放電は、第２の電位Ｖ２から第１の電位Ｖ１へとゆるやかに行われる。また、時定数制御端子Ｔ1の電位に対応した電位をＶ−Ｉ変換して得られるBias2信号の減少もゆるやかに進行する。時定数制御端子Ｔ1が第１の電位Ｖ１に到達すると、測定が完了となる。
【０１２９】
このように、音声出力回路１０１は、ＢＴＬ方式の場合には、第２の負荷インピーダンス検出回路１１４Ｂを利用して、スピーカ２０２のインピーダンスを測定する。このように、音声出力回路１０１は、２つの接続端子１１２Ａ及びＢと、２つの測定電流供給回路１１２Ａ及びＢのいずれか一方と、２つの負荷インピーダンス検出回路１１４Ａ及びＢのいずれか一方とを利用して、ＢＴＬ方式の診断を行うことができる。
【０１３０】
なお、診断時において、第１のクランプ回路１２２Ａは、測定基準となる電圧ＶＡを与える。また、診断時において、スピーカ２０２が第１及び第２の接続端子１１２Ａ及びＢに繋がれていない場合には、第２の接続端子１１２Ｂの電圧ＶＢを必要以上に引き上げると、第２の測定電流供給回路１１２Ｂの動作範囲を超える高電圧、あるいは第２の負荷インピーダンス検出回路１１４Ｂの入力範囲を超える高電圧が生じる可能性がある。しかしながら、本実施例では、第２のクランプ回路１２２Ｂにより、このような事態が防止される。本実施例では、ＶBが、Ｖref＋（ＶBTL＋ｎB×Ｖf＋ＶBE）以上になることが防止される。
【０１３１】
本実施例では更に、誤診断を避ける目的で、第１及び第２のクランプ電圧ＶA0及びＶB0が、基準電圧Ｖref、ＢＴＬ用の電圧ＶBTL、第１及び第２のクランプ回路１２２Ａ及びＢ等により適正に設定される。
【０１３２】
（負荷インピーダンス検出回路）
以下、第１乃至第７実施例における第１及び第２の負荷インピーダンス検出回路１１４Ａ及びＢについて、より詳細に説明する。
【０１３３】
図１０は、第１及び第２の負荷インピーダンス検出回路１１４Ａ及びＢの構成例を示した回路構成図である。
【０１３４】
第１の負荷インピーダンス検出回路１１４Ａは、第１の比較器３０１と、第３の比較器３０３とを備える。第１の比較器３０１は、第１の接続端子１１２Ａの電圧ＶAが入力される第１の入力端子（Ａ1）と、第１の検出閾値電圧−Ｖref-Aが入力される第２の入力端子（Ａ2）と、これらの電圧の比較結果を出力する出力端子（Ａ3）とを有する。第３の比較器３０３は、第１の接続端子１１２Ａの電圧ＶAが入力される第１の入力端子（Ａ1’）と、第３の検出閾値電圧−Ｖref-A’が入力される第２の入力端子（Ａ2’）と、これらの電圧の比較結果を出力する出力端子（Ａ3’）とを有する。
【０１３５】
第２の負荷インピーダンス検出回路１１４Ｂは、第２の比較器３０２と、第４の比較器３０４とを備える。第２の比較器３０２は、第２の接続端子１１２Ｂの電圧ＶBが入力される第１の入力端子（Ｂ1）と、第２の検出閾値電圧−Ｖref-Bが入力される第２の入力端子（Ｂ2）と、これらの電圧の比較結果を出力する出力端子（Ｂ3）とを有する。第４の比較器３０４は、第１の接続端子１１２Ｂの電圧ＶBが入力される第１の入力端子（Ｂ1’）と、第４の検出閾値電圧−Ｖref-B’が入力される第２の入力端子（Ｂ2’）と、これらの電圧の比較結果を出力する出力端子（Ｂ3’）とを有する。
【０１３６】
このように、第１及び第２の負荷インピーダンス検出回路１１４Ａ及びＢはそれぞれ、複数個の比較器を備えていてもよい。
【０１３７】
第１の比較器３０１は、第１のスピーカ２０１Ａの接続がショートしているか否かを診断するために設けられている。第１の検出閾値電圧−Ｖref-Aは、接続がショート状態か否かを診断可能な値に設定される。同様に、第２の比較器３０２は、第２のスピーカ２０１Ｂの接続がショートしているか否かを診断するために設けられている。第２の検出閾値電圧−Ｖref-Bは、接続がショート状態か否かを診断可能な値に設定される。なお、第１及び第２の比較器３０１及び３０２のいずれか一方は、スピーカ２０２の接続がショートしているか否かを診断するのにも利用される。
【０１３８】
第３の比較器３０３は、第１のスピーカ２０１Ａの接続がオープンになっているか否かを診断するために設けられている。第３の検出閾値電圧−Ｖref-A’は、接続がオープン状態か否かを診断可能な値に設定される。同様に、第４の比較器３０４は、第２のスピーカ２０１Ｂの接続がオープンになっているか否かを診断するために設けられている。第４の検出閾値電圧−Ｖref-B’は、接続がオープン状態か否かを診断可能な値に設定される。なお、第３及び第４の比較器３０３及び３０４のいずれか一方は、スピーカ２０２の接続がオープンになっているか否かを診断するのにも利用される。
【０１３９】
図１０の基準切替回路１１５は、第１の比較器３０１の第２の入力端子に供給する電圧、又は第２の比較器３０２の第２の入力端子に供給する電圧の切り替えを行う。図１０の基準切替回路１１５は更に、第３の比較器３０３の第２の入力端子に供給する電圧、又は第４の比較器３０４の第２の入力端子に供給する電圧の切り替えを行う。
【０１４０】
以上のように、図１０の回路構成によれば、ショート状態の診断とオープン状態の診断の両方が可能になる。図１０の回路構成によれば更に、これらの診断が、シングルエンド方式の場合にもＢＴＬ方式の場合にも実行可能となる。
【０１４１】
図１１は、ショート状態及びオープン状態の診断方法を説明するための図である。図１１の縦軸は、ＢＴＬ方式の場合の電圧ＶA−ＶBを示している。図１１では、図２の音声出力回路１０１に図１０の構成を適用したと想定して、電圧ＶA−ＶBと診断結果との関係が示されている。
【０１４２】
図１１には、図１０に示した電圧Ｖref-B及びＶref-B’が示されている。電圧Ｖref-Bは、接続がショート状態か否かを診断するための閾値である。従って、ＶA−ＶB＜Ｖref-Bの場合には、スピーカ２０２の接続はショートしていると診断される。一方、電圧Ｖref-B’は、接続がオープン状態か否かを診断するための閾値である。従って、ＶA−ＶB＞Ｖref-B’の場合には、スピーカ２０２の接続はオープンになっていると診断される。そして、その他の場合、即ち、Ｖref-B＜ＶA−ＶB＜Ｖref-B’の場合には、スピーカ２０２の接続は正常であると診断される。なお、シングルエンド方式の場合にも、これと同様に、ショート状態及びオープン状態の診断が可能である。
【０１４３】
図１０の場合、スピーカの２０２の接続がショート状態であれば、第２の比較器３０２の出力はHighレベル、第４の比較器３０４の出力はLowレベルになる。スピーカの２０２の接続がオープン状態であれば、第２の比較器３０２の出力はLowレベル、第４の比較器３０４の出力はHighレベルになる。スピーカの２０２の接続が正常状態であれば、第２の比較器３０２の出力と第４の比較器３０４の出力は、共にLowレベルになる。このように、図１０の場合には、第２の比較器３０２の出力と第４の比較器３０４の出力との組合せにより、スピーカ２０２の接続状態の診断が可能である。
【０１４４】
なお、図１〜図７の音声出力回路１０１は、最大２個のスピーカの同時診断を行うことが可能である。最大２×Ｎ個のスピーカの同時診断を行うことを可能にするには、１個の音声出力回路１０１に、図１〜図７のような回路構成をＮ個設ければよい。Ｎは、１以上の任意の整数である。
【０１４５】
以上、本発明の具体的な態様の例を、第１〜第７実施例により説明したが、本発明は、これらの実施例に限定されるものではない。
【図面の簡単な説明】
【０１４６】
【図１】第１実施例の音声出力回路の回路構成図である。
【図２】第２実施例の音声出力回路の回路構成図である。
【図３】第３実施例について説明するための音声出力回路の回路構成図である。
【図４】第４実施例について説明するための音声出力回路の回路構成図である。
【図５】第５実施例の音声出力回路の回路構成図である。
【図６】第６実施例について説明するための音声出力回路の回路構成図である。
【図７】第７実施例について説明するための音声出力回路の回路構成図である。
【図８】クランプ電圧と接続端子の電圧との関係を示した図である。
【図９】クランプ電圧と接続端子の電圧との関係を示した図である。
【図１０】第１及び第２の負荷インピーダンス検出回路の構成例を示した図である。
【図１１】ショート状態及びオープン状態の診断方法を説明するための図である。
【符号の説明】
【０１４７】
１０１    音声出力回路
１１１Ａ  第１のパワーアンプ
１１１Ｂ  第２のパワーアンプ
１１２Ａ  第１の接続端子
１１２Ｂ  第２の接続端子
１１３Ａ  第１の測定電流供給回路
１１３Ｂ  第２の測定電流供給回路
１１４Ａ  第１の負荷インピーダンス検出回路
１１４Ｂ  第２の負荷インピーダンス検出回路
１１５    基準切替回路
１２１    クランプ電圧生成回路
１２２Ａ  第１のクランプ回路
１２２Ｂ  第２のクランプ回路
１３１    制御回路
２０１Ａ  第１のスピーカ
２０１Ｂ  第２のスピーカ
２０２    共通のスピーカ
３０１    第１の比較器
３０２    第２の比較器
３０３    第３の比較器
３０４    第４の比較器
【図１】
2010041196.tif 000003
【図２】
2010041196.tif 000004
【図３】
2010041196.tif 000005
【図４】
2010041196.tif 000006
【図５】
2010041196.tif 000007
【図６】
2010041196.tif 000008
【図７】
2010041196.tif 000009
【図８】
2010041196.tif 000010
【図９】
2010041196.tif 000011
【図１０】
2010041196.tif 000012
【図１１】
2010041196.tif 000013